(57)【要約】【課題】バッテリの残留電荷量の低下を防止して、確実に異常の発生を通報することができる異常通報装置を得ることを目的とする。【解決手段】音声録音再生部１８により異常の発生を示す音声メッセージが通報されている時間を積算し、その積算した時間が目標通報時間に到達すると、携帯電話機２のバッテリ２１を一定期間充電するように構成する。これにより、バッテリ２１の残留電荷量の低下を防止して、確実に異常の発生を通報することができる効果が得られる。【選択図】図１
2007172159.tif 000002
【特許請求の範囲】
【請求項１】
通報先の電話番号を記憶する電話番号記憶手段と、異常の検知処理を実施する異常検知手段と、上記異常検知手段により異常が検知されると、上記電話番号記憶手段に記憶されている電話番号の発信を携帯電話機に要求する発信要求手段と、上記携帯電話機により電話番号が発信されて通報先と通信が確立すると、上記携帯電話機を介して、異常の発生を通報先に通報する通報手段と、上記通報手段により異常の発生が通報されている時間を積算し、その積算した時間が目標通報時間に到達すると、上記携帯電話機のバッテリを一定期間充電するバッテリ充電手段とを備えた異常通報装置。
【請求項２】
バッテリ充電手段は、通報先と通信が確立していない携帯電話機の待機時間を積算し、その積算した時間が目標待機時間に到達すると、上記携帯電話機のバッテリを一定期間充電することを特徴とする請求項１記載の異常通報装置。
【請求項３】
バッテリ充電手段によるバッテリの充電回数をカウントし、その充電回数が目標充電回数に到達すると、携帯電話機のバッテリ異常を表示するバッテリ異常表示手段を設けたことを特徴とする請求項１または請求項２記載の異常通報装置。
【請求項４】
携帯電話機により電話番号が発信されず、通報先と通信が確立しない場合、バッテリ充電手段が上記携帯電話機のバッテリを一定期間充電してから、通報手段が異常の発生を通報先に通報することを特徴とする請求項１から請求項３のうちのいずれか１項記載の異常通報装置。
【発明の詳細な説明】
【技術分野】
【０００１】
この発明は、例えば、防犯センサなどが異常を検知すると、携帯電話機を利用して、異常の発生を管理者に通報する異常通報装置に関するものである。
【背景技術】
【０００２】
従来の異常通報装置は、商用電源が設置されていない場所でも、使用することができるようにするために、太陽光を受光することにより発電するソーラーセルを用意し、そのソーラーセルにより発電された電力は、ダイオード経由で充電回路に供給されている。
また、商用電源から得られる電力は、整流回路で整流された後、ダイオード経由で充電回路に供給されている。
充電回路は、ソーラーセル又は商用電源から得られる電力を異常通報装置の各構成部に供給して、異常通報装置が駆動できる状態にする。
また、充電回路は、異常通報装置に接続されている携帯電話機の外部電源端子から常時電力を供給して、その携帯電話機のバッテリを充電するようにしている（例えば、特許文献１を参照）。
【０００３】
【特許文献１】特開２０００−１７２９７３号公報（段落番号［００２３］から［００２５］、図１）
【発明の開示】
【発明が解決しようとする課題】
【０００４】
従来の異常通報装置は以上のように構成されているので、充電回路により携帯電話機のバッテリが充電されるが、そのバッテリが満充電になっても充電を継続すると、そのバッテリの性能が劣化して寿命が短くなる。逆に、バッテリが満充電になると充電を停止するようにすると、時間の経過に伴ってバッテリの残留電荷量が低下して、携帯電話機の駆動に必要な電圧が得られなくなり、異常の発生を通報することができなくなることがあるなどの課題があった。
【０００５】
この発明は上記のような課題を解決するためになされたもので、バッテリの残留電荷量の低下を防止して、確実に異常の発生を通報することができる異常通報装置を得ることを目的とする。
【課題を解決するための手段】
【０００６】
この発明に係る異常通報装置は、通報手段により異常の発生が通報されている時間を積算し、その積算した時間が目標通報時間に到達すると、携帯電話機のバッテリを一定期間充電するようにしたものである。
【発明の効果】
【０００７】
この発明によれば、通報手段により異常の発生が通報されている時間を積算し、その積算した時間が目標通報時間に到達すると、携帯電話機のバッテリを一定期間充電するように構成したので、バッテリの残留電荷量の低下を防止して、確実に異常の発生を通報することができる効果がある。
【発明を実施するための最良の形態】
【０００８】
実施の形態１．
図１はこの発明の実施の形態１による異常通報装置を示す構成図であり、図において、異常通報装置１は携帯電話機インタフェース３を介して携帯電話機２と接続されている。
通報先電話番号記憶部１１は通報先の電話番号を記憶しているメモリである。なお、通報先電話番号記憶部１１は電話番号記憶手段を構成している。
異常検知部１３は防犯センサなどの接点スイッチ１２が異常を検知して、接点スイッチ１２が閉状態になると、異常検知信号をコントロール部１５に出力する。なお、異常検知部１３は異常検知手段を構成している。
【０００９】
目標設定記憶部１４は通報時間の目標積算時間である目標通報時間、バッテリの目標充電時間及び目標充電回数などを記憶するメモリである。
コントロール部１５は異常検知部１３から異常検知信号を受けると、通報先電話番号記憶部１１に記憶されている電話番号の発信を指示するシルアル上り信号を携帯電話機２に送信する一方、携帯電話機２から送信されるシリアル下り信号を監視して、携帯電話機２の通信確立状態を監視する。
また、コントロール部１５は携帯電話機２が通報先と通信が確立していることを確認すると、音声メッセージの再生指令を音声録音再生部１８に出力し、また、音声録音再生部１８により音声メッセージが通報されている時間を積算し、その積算した時間が目標設定記憶部１４に記憶されている目標通報時間に到達すると、充電制御スイッチ２０を一定期間オン状態に制御する。
また、コントロール部１５は電源回路１９によるバッテリの充電回数（充電制御スイッチ２０をオン状態に制御した回数に相当）をカウントし、その充電回数が目標設定記憶部１４に記憶されている目標充電回数に到達すると、携帯電話機２のバッテリ異常を示すランプ１６を点灯する。
なお、コントロール部１５は携帯電話機２の電源スイッチを投入する際、携帯制御信号Ａを携帯電話機２に送信し、携帯電話機２の電源スイッチを切る際、携帯制御信号Ｂを携帯電話機２に送信する。
【００１０】
音声録音再生部１８はコントロール部１５の指示の下、マイク１７により集音された音声メッセージ（異常の発生を示すメッセージ）を録音データメモリ部に録音するとともに、その音声メッセージを再生して、その音声メッセージを携帯電話機２に送信する。
電源回路１９は充電制御スイッチ２０がオン状態に制御されているとき、携帯電話機２の充電制御回路２２に電力を供給する。
なお、コントロール部１５及び音声録音再生部１８から通報手段が構成され、コントロール部１５から発信要求手段が構成されている。
また、コントロール部１５、電源回路１９及び充電制御スイッチ２０からバッテリ充電手段が構成され、コントロール部１５及びランプ１６からバッテリ異常表示手段が構成されている。
【００１１】
携帯電話機２の充電制御回路２２は電源回路１９から電力の供給を受けると、その電力をバッテリ２１に充電する。
図２はこの発明の実施の形態１による異常通報装置の処理内容を示すフローチャートである。
【００１２】
次に動作について説明する。
例えば、異常通報装置の管理者が異常の検知処理を開始するに際して、異常の検知を知らせる音声メッセージを録音する場合、管理者がマイク１７に向かって音声メッセージを発すると、音声録音再生部１８がコントロール部１５の指示の下、マイク１７により集音された音声メッセージを録音データメモリ部に録音する。
また、異常通報装置の管理者は、異常の検知処理を開始するに際して、通報先の電話番号を通報先電話番号記憶部１１に登録し、また、通報時間の目標積算時間である目標通報時間、バッテリの目標充電時間及び目標充電回数などを設定して、その目標通報時間、目標充電時間や目標充電回数などを目標設定記憶部１４に登録する（ステップＳＴ１，ＳＴ２）。
ただし、異常の検知処理を開始する初期状態では、携帯電話機２のバッテリ２１が満充電になっているものとする。
【００１３】
異常検知部１３は、防犯センサなどの接点スイッチ１２が異常を検知して、接点スイッチ１２が閉状態になると、異常検知信号をコントロール部１５に出力する。
コントロール部１５は、異常検知部１３から異常検知信号を受けると、通報先電話番号記憶部１１から通報先の電話番号を読み取り、その電話番号の発信を指示するシルアル上り信号を携帯電話機２に送信する。
携帯電話機２は、コントロール部１５から電話番号の発信を指示するシルアル上り信号を受信すると、その電話番号を発信して、通報先の通信装置を発呼する。
【００１４】
コントロール部１５は、携帯電話機２から送信されるシリアル下り信号を監視して、携帯電話機２の通信確立状態を監視し、携帯電話機２からダイヤル返信をシリアル下り信号として受信すると、携帯電話機２が通報先の通信装置と通信が確立したものと認識する。
コントロール部１５は、携帯電話機２が通報先の通信装置と通信が確立していると認識すると、音声メッセージの再生指令を音声録音再生部１８に出力する。
音声録音再生部１８は、コントロール部１５から音声メッセージの再生指令を受けると、先に録音データメモリ部に録音されている音声メッセージを再生して、その音声メッセージを携帯電話機２に出力する。
これにより、携帯電話機２から音声メッセージが通報先の通信装置に送信されて、異常の発生が通報先に伝達される。
コントロール部１５は、携帯電話機２による音声メッセージの送信が完了すると、携帯電話機２による通報先の通信装置との通信確立を解除する。
【００１５】
また、コントロール部１５は、音声メッセージの再生指令を音声録音再生部１８に出力すると、音声録音再生部１８から音声メッセージが通報されている時間を積算する（ステップＳＴ３，ＳＴ４）。
コントロール部１５は、音声メッセージが通報されている通報積算時間が目標設定記憶部１４に記憶されている目標通報時間に到達すると、オフ状態の充電制御スイッチ２０を一定期間オン状態に切り換える制御を行う（ステップＳＴ５，ＳＴ６）。
電源回路１９は、充電制御スイッチ２０がオン状態に切り換えられると、携帯電話機２の充電制御回路２２に電力を供給する。
携帯電話機２の充電制御回路２２は、電源回路１９から電力の供給を受けると、その電力をバッテリ２１に充電する。
【００１６】
コントロール部１５は、充電制御スイッチ２０をオン状態に設定している時間、即ち、携帯電話機２の充電制御回路２２がバッテリ２１を充電している時間を積算し（ステップＳＴ７）、その充電積算時間が目標設定記憶部１４に記憶されている目標充電時間に到達すると、オン状態の充電制御スイッチ２０をオフ状態に切り換える制御を行う（ステップＳＴ８，ＳＴ９）。
これにより、電源回路１９から電力が携帯電話機２の充電制御回路２２に供給されなくなるため、バッテリ２１の充電が終了する。
コントロール部１５は、オン状態の充電制御スイッチ２０をオフ状態に切り換えると、先の通報積算時間と充電積算時間をリセットする（ステップＳＴ１０）。
【００１７】
なお、コントロール部１５は、オフ状態の充電制御スイッチ２０をオン状態に切り換える毎に、バッテリの充電回数をインクリメントし（一度も充電したことがない初期状態では、バッテリの充電回数は“０”）、バッテリの充電回数が目標設定記憶部１４に記憶されている目標充電回数に到達すると、携帯電話機２のバッテリ異常を示すランプ１６を点灯する。
これにより、異常通報装置の管理者は、携帯電話機２におけるバッテリ２１の交換時期を認識することができる。
【００１８】
以上で明らかなように、この実施の形態１によれば、音声録音再生部１８により異常の発生を示す音声メッセージが通報されている時間を積算し、その積算した時間が目標通報時間に到達すると、携帯電話機２のバッテリ２１を一定期間充電するように構成したので、バッテリ２１の残留電荷量の低下を防止して、確実に異常の発生を通報することができる効果を奏する。
また、携帯電話機のバッテリ２１の充電時間が目標充電時間に限られるため、過充電に伴うバッテリ２１の劣化を防止することができる効果を奏する。
【００１９】
実施の形態２．
上記実施の形態１では、音声メッセージの通報積算時間が目標通報時間に到達すると、携帯電話機２のバッテリ２１を一定期間充電するものについて示したが、通報先の通信装置と通信が確立していない携帯電話機２の待機時間を積算し、その待機積算時間が目標待機時間に到達したとき、携帯電話機２のバッテリ２１を一定期間充電するようにしてもよい。
図３はこの発明の実施の形態２による異常通報装置の処理内容を示すフローチャートである。
【００２０】
次に動作について説明する。
例えば、異常通報装置の管理者が異常の検知処理を開始するに際して、異常の検知を知らせる音声メッセージを録音する場合、管理者がマイク１７に向かって音声メッセージを発すると、音声録音再生部１８がコントロール部１５の指示の下、マイク１７により集音された音声メッセージを録音データメモリ部に録音する。
また、異常通報装置の管理者は、異常の検知処理を開始するに際して、通報先の電話番号を通報先電話番号記憶部１１に登録し、また、通報時間の目標積算時間である目標通報時間、携帯電話機２における待機時間の目標積算時間である目標待機時間、バッテリの目標充電時間及び目標充電回数などを設定して、その目標通報時間、目標待機時間、目標充電時間や目標充電回数などを目標設定記憶部１４に登録する（ステップＳＴ１１，ＳＴ１２，ＳＴ１３）。
ただし、異常の検知処理を開始する初期状態では、携帯電話機２のバッテリ２１が満充電になっているものとする。
【００２１】
異常検知部１３は、防犯センサなどの接点スイッチ１２が異常を検知して、接点スイッチ１２が閉状態になると、上記実施の形態１と同様に、異常検知信号をコントロール部１５に出力する。
コントロール部１５は、異常検知部１３から異常検知信号を受けると、上記実施の形態１と同様に、通報先電話番号記憶部１１から通報先の電話番号を読み取り、その電話番号の発信を指示するシルアル上り信号を携帯電話機２に送信する。
携帯電話機２は、コントロール部１５から電話番号の発信を指示するシルアル上り信号を受信すると、その電話番号を発信して、通報先の通信装置を発呼する。
【００２２】
コントロール部１５は、携帯電話機２から送信されるシリアル下り信号を監視して、携帯電話機２の通信確立状態を監視し、携帯電話機２からダイヤル返信をシリアル下り信号として受信すると、携帯電話機２が通報先の通信装置と通信が確立したものと認識する。
コントロール部１５は、携帯電話機２が通報先の通信装置と通信が確立していると認識すると、上記実施の形態１と同様に、音声メッセージの再生指令を音声録音再生部１８に出力する。
音声録音再生部１８は、コントロール部１５から音声メッセージの再生指令を受けると、上記実施の形態１と同様に、先に録音データメモリ部に録音されている音声メッセージを再生して、その音声メッセージを携帯電話機２に出力する。
これにより、携帯電話機２から音声メッセージが通報先の通信装置に送信されて、異常の発生が通報先に伝達される。
コントロール部１５は、携帯電話機２による音声メッセージの送信が完了すると、携帯電話機２による通報先の通信装置との通信確立を解除する。
【００２３】
また、コントロール部１５は、音声メッセージの再生指令を音声録音再生部１８に出力すると、上記実施の形態１と同様に、音声録音再生部１８から音声メッセージが通報されている時間を積算する（ステップＳＴ１４，ＳＴ１５）。
コントロール部１５は、音声メッセージが通報されている通報積算時間が目標設定記憶部１４に記憶されている目標通報時間に到達すると、上記実施の形態１と同様に、オフ状態の充電制御スイッチ２０を一定期間オン状態に切り換える制御を行う（ステップＳＴ１６，ＳＴ１９）。
電源回路１９は、充電制御スイッチ２０がオン状態に切り換えられると、携帯電話機２の充電制御回路２２に電力を供給する。
携帯電話機２の充電制御回路２２は、電源回路１９から電力の供給を受けると、その電力をバッテリ２１に充電する。
【００２４】
コントロール部１５は、携帯電話機２が通報先の通信装置と通信が確立しておらず、携帯電話機２が待機中（待受け中）である場合（ステップＳＴ１４）、携帯電話機２の待機時間を積算する（ステップＳＴ１７）。ただし、携帯電話機２が通報先の通信装置と通信が確立していない場合でも、携帯電話機２のバッテリ２１が充電されている期間は積算しない。
コントロール部１５は、携帯電話機２の待機積算時間が目標設定記憶部１４に記憶されている目標待機時間に到達すると、オフ状態の充電制御スイッチ２０を一定期間オン状態に切り換える制御を行う（ステップＳＴ１８，ＳＴ１９）。
電源回路１９は、充電制御スイッチ２０がオン状態に切り換えられると、携帯電話機２の充電制御回路２２に電力を供給する。
携帯電話機２の充電制御回路２２は、電源回路１９から電力の供給を受けると、その電力をバッテリ２１に充電する。
【００２５】
コントロール部１５は、充電制御スイッチ２０をオン状態に設定している時間、即ち、携帯電話機２の充電制御回路２２がバッテリ２１を充電している時間を積算し（ステップＳＴ２０）、その充電積算時間が目標設定記憶部１４に記憶されている目標充電時間に到達すると、上記実施の形態１と同様に、オン状態の充電制御スイッチ２０をオフ状態に切り換える制御を行う（ステップＳＴ２１，ＳＴ２２）。
これにより、電源回路１９から電力が携帯電話機２の充電制御回路２２に供給されなくなるため、バッテリ２１の充電が終了する。
コントロール部１５は、オン状態の充電制御スイッチ２０をオフ状態に切り換えると、先の通報積算時間と充電積算時間と待機積算時間をリセットする（ステップＳＴ２３）。
【００２６】
なお、コントロール部１５は、オフ状態の充電制御スイッチ２０をオン状態に切り換える毎に、バッテリの充電回数をインクリメントし（一度も充電したことがない初期状態では、バッテリの充電回数は“０”）、バッテリの充電回数が目標設定記憶部１４に記憶されている目標充電回数に到達すると、上記実施の形態１と同様に、携帯電話機２のバッテリ異常を示すランプ１６を点灯する。
これにより、異常通報装置の管理者は、携帯電話機２におけるバッテリ２１の交換時期を認識することができる。
【００２７】
以上で明らかなように、この実施の形態２によれば、通報先の通信装置と通信が確立していない携帯電話機２の待機時間を積算し、その積算した時間が目標待機時間に到達すると、携帯電話機２のバッテリ２１を一定期間充電するように構成したので、上記実施の形態１よりも更に確実にバッテリ２１の残留電荷量の低下を防止して、異常の発生を通報することができる効果を奏する。
また、携帯電話機のバッテリ２１の充電時間が目標充電時間に限られるため、過充電に伴うバッテリ２１の劣化を防止することができる効果を奏する。
【００２８】
実施の形態３．
上記実施の形態１，２では、特に言及していないが、携帯電話機２により電話番号が発信されても、通報先の通信装置と通信が確立しない場合、電源回路１９が携帯電話機２のバッテリ２１を一定期間充電してから、音声録音再生部１８が異常の発生を示す音声メッセージを通報先に通報するようにしてもよい。
図４はこの発明の実施の形態３による異常通報装置の処理内容を示すフローチャートである。
【００２９】
次に動作について説明する。
異常検知部１３は、防犯センサなどの接点スイッチ１２が異常を検知して、接点スイッチ１２が閉状態になると、異常検知信号をコントロール部１５に出力する（ステップＳＴ３１）。
コントロール部１５は、異常検知部１３から異常検知信号を受けると、通報先電話番号記憶部１１から通報先の電話番号を読み取り、その電話番号の発信を指示するシルアル上り信号を携帯電話機２に送信する。
携帯電話機２は、コントロール部１５から電話番号の発信を指示するシルアル上り信号を受信すると、その電話番号を発信して、通報先の通信装置を発呼する。
【００３０】
コントロール部１５は、携帯電話機２から送信されるシリアル下り信号を監視して、携帯電話機２の通信確立状態を監視し（ステップＳＴ３２）、携帯電話機２からダイヤル返信をシリアル下り信号として受信すると（ステップＳＴ３３）、携帯電話機２が通報先の通信装置と通信が確立したものと認識する。
コントロール部１５は、携帯電話機２が通報先の通信装置と通信が確立していると認識すると、音声メッセージの再生指令を音声録音再生部１８に出力する（ステップＳＴ３４）。
以降、上記実施の形態１と同様であるため説明を省略する。
【００３１】
コントロール部１５は、携帯電話機２からダイヤル返信をシリアル下り信号として受信することができない場合、携帯電話機２を駆動できない通信不能状態であると認識する。
そして、コントロール部１５は、携帯制御信号Ｂを携帯電話機２に送信して、携帯電話機２の電源スイッチを一旦切り状態にする（ステップＳＴ３５）。
コントロール部１５は、携帯電話機２の電源スイッチを切ると、オフ状態の充電制御スイッチ２０を一定期間オン状態に切り換えることにより、上記実施の形態１と同様に、携帯電話機２のバッテリ２１を一定期間充電する（ステップＳＴ３６）。
【００３２】
コントロール部１５は、携帯電話機２のバッテリ２１の充電が完了すると、携帯制御信号Ａを携帯電話機２に送信して、携帯電話機２の電源スイッチを入り状態にする（ステップＳＴ３７）。
コントロール部１５は、携帯電話機２の電源スイッチを入れると、再度、通報先電話番号記憶部１１から通報先の電話番号を読み取り、その電話番号の発信を指示するシルアル上り信号を携帯電話機２に送信する。
携帯電話機２は、コントロール部１５から電話番号の発信を指示するシルアル上り信号を受信すると、その電話番号を発信して、通報先の通信装置を発呼する。
【００３３】
コントロール部１５は、携帯電話機２から送信されるシリアル下り信号を監視して、携帯電話機２の通信確立状態を監視し、携帯電話機２からダイヤル返信をシリアル下り信号として受信すると、携帯電話機２が通報先の通信装置と通信が確立したものと認識する。
コントロール部１５は、携帯電話機２が通報先の通信装置と通信が確立していると認識すると、音声メッセージの再生指令を音声録音再生部１８に出力する（ステップＳＴ３８）。
以降、上記実施の形態１と同様であるため説明を省略する。
【００３４】
以上で明らかなように、この実施の形態３によれば、携帯電話機２により電話番号が発信されず、通報先の通信装置と通信が確立しない場合、電源回路１９が携帯電話機２のバッテリ２１を一定期間充電してから、音声録音再生部１８が異常の発生を示す音声メッセージを通報先に通報するように構成したので、携帯電話機２を駆動できない通信不能状態に陥っていても、異常の発生を通報することができる効果を奏する。
【００３５】
なお、上記実施の形態１〜３では、目標通報時間、目標待機時間、目標充電時間や目標充電回数などを目標設定記憶部１４に登録するものについて示したが、これらを専用の設定器を用いて目標設定記憶部１４に登録するようにしてもよいが、例えば、ＲＳ−２３２Ｃケーブルなどでパソコン等を異常通報装置に接続することにより、パソコン等を用いて目標設定記憶部１４に登録するようにしてもよい。
【００３６】
また、上記実施の形態１〜３では、マイクを使用して音声メッセージを収集して、その音声メッセージを音声録音再生部１８の録音データメモリ部に録音するものについて示したが、メロディＩＣを音声録音再生部１８に実装して、メロディＩＣに記録されている固定の音声メッセージを再生するようにしてもよい。
【００３７】
また、上記実施の形態１〜３では、携帯電話機２が音声メッセージを通報先の通信装置に通報するものについて示したが、携帯電話機２が異常の発生を示すメールなどの電文を通報先の通信装置に通報するようにしてもよい。
【図面の簡単な説明】
【００３８】
【図１】この発明の実施の形態１による異常通報装置を示す構成図である。
【図２】この発明の実施の形態１による異常通報装置の処理内容を示すフローチャートである。
【図３】この発明の実施の形態２による異常通報装置の処理内容を示すフローチャートである。
【図４】この発明の実施の形態３による異常通報装置の処理内容を示すフローチャートである。
【符号の説明】
【００３９】
１  異常通報装置、２  携帯電話機、３  携帯電話機インタフェース、１１  通報先電話番号記憶部（電話番号記憶手段）、１２  接点スイッチ、１３  異常検知部（異常検知手段）、１４  目標設定記憶部、１５  コントロール部（発信要求手段、通報手段、バッテリ充電手段、バッテリ異常表示手段）、１６  ランプ（バッテリ異常表示手段）、１７  マイク、１８  音声録音再生部（通報手段）、１９  電源回路（バッテリ充電手段）、２０  充電制御スイッチ（バッテリ充電手段）、２１  バッテリ、２２  充電制御回路。
【図１】
2007172159.tif 000003
【図２】
2007172159.tif 000004
【図３】
2007172159.tif 000005
【図４】
2007172159.tif 000006